【事件の表示】
　特許第３４２６７１０号「印刷装置」の請求項１、２に係る特許に対する特許異議の申立てについて、次のとおり決定する。
【結　論】
　訂正を認める。
　特許第３４２６７１０号の請求項１に係る特許を維持する。
【理　由】
１．訂正の適否について
（１）訂正の内容
ア．訂正事項ａ
　特許請求の範囲を
「【請求項１】レーザビームを感光体ドラムにて受光しつつ用紙上に印刷データを画像として形成する画像形成装置と、
ヒータにより加熱されるヒートローラにより前記画像形成装置から搬送される前記用紙上に前記画像を定着させる定着装置と、
前記画像形成装置及び定着装置を通って前記用紙を搬送する搬送装置と、
前記定着装置内での前記用紙の存否を検出する用紙検出手段と、
前記ヒートローラの表面温度を検出する温度検出手段と、
前記用紙検出手段及び（又は）前記温度検出手段の各検出出力を利用して前記ヒータによる加熱並びに前記搬送装置の用紙搬送を制御する制御装置とを具備して、
この制御装置と前記用紙検出手段及び温度検出手段とを単一のコネクタにより接続し、
かつ、前記制御装置が、前記コネクタを介し前記用紙検出手段と接続され
、前記コネクタを接続し忘れたときと、前記用紙検出手段による用紙の存在を検出したときとで同等の状態となるよう構成し
有し、前
る印
と訂正する。
　
イ．訂正事項ｂ
　明細書の【０００４】に「【課題を解決するための手段】上記課題の解決にあたり、・・・前記コネクタを介し前記用紙検出手段と接続された信号線の状態を電源投入直後に判断する判断手段を有するように構成されている。」とあるのを
「【課題を解決するための手段】上記課題の解決にあたり、請求項１に記載の発明は、レーザビームを感光体ドラムにて受光しつつ用紙上に印刷データを画像として形成する画像形成装置と、ヒータにより加熱されるヒートローラにより前記画像形成装置から搬送される前記用紙上に前記画像を定着させる定着装置と、前記画像形成装置及び定着装置を通って前記用紙を搬送する搬送装置と、前記定着装置内での前記用紙の存否を検出する用紙検出手段と、前記ヒートローラの表面温度を検出する温度検出手段と、前記用紙検出手段及び（又は）前記温度検出手段の各検出出力を利用して前記ヒータによる加熱並びに前記搬送装置の用紙搬送を制御する制御装置とを具備して、この制御装置と前記用紙検出手段及び温度検出手段とを単一のコネクタにより接続し、かつ、前記制御装置が、前記コネクタを介し前記用紙検出手段と接続され
、前記コネクタを接続し忘れたときと、前記用紙検出手段による用紙の存在を検出したときとで同等の状態となるよう構成し
　
ウ．訂正事項ｃ
　明細書の段落【０００５】に「上記課題の解決にあたり、請求項２に記載の発明は、請求項１に記載の発明において、前記判断手段が、電源投入直後に前記信号線が前記用紙検出手段により前記用紙の存在を検出したと同等の状態にあると判断したとき、異常状態として報知する報知手段を具備するように構成されている。」とあるのを
「
そして更に、前
　
エ．訂正事項ｄ
　明細書の段落【０００６】に「【作用】上述のように請求項１に記載の発明は、・・・特別な信号線を追加することなく、その判断をすることができる。」とあるのを
「【作用】上述のように請求項１に記載の発明は、定着装置内の用紙の存否を検出する用紙検出手段及びその定着装置の温度を検出する温度検出手段を単一のコネクタにより制御手段に接続してあり、そのコネクタを介し前記用紙検出手段と接続され
、前記コネクタを接続し忘れたときと、前記用紙検出手段による用紙の存在を検出したときとで同等の状態となるよう構成し
　
オ．訂正事項ｅ
　明細書の段落【０００７】に「また、上述のように請求項２に記載の発明は、電源投入直後に、前記信号線が、用紙検出手段により用紙の存在を検出したと同等の状態にあるとき、報知手段が異常状態として報知する。」とあるのを
「ま
た、電
　
カ．訂正事項ｆ
　明細書の【００１９】に「この動作中、用紙センサ３０と共通のコネクタ９０ｂを介して温度センサ７０ｄがマイクロコンピュータ９０と接続れているから、」とあるのを
「この動作中、用紙センサ３０と共通のコネクタ９０ｂを介して温度センサ７０ｄがマイクロコンピュータ９０と
接続されて
　
キ．訂正事項ｇ
　明細書の【００２１】に「【発明の効果】上述のような請求項１に記載の発明の構成及び作用によれば、・・・検出のために特別な端子や信号線を追加する必要がなく安価に構成できる。」とあるのを
「【発明の効果】上述のような請求項１に記載の発明の構成及び作用によれば、電源投入直後に、前記コネクタを介し前記用紙検出手段と接続さ
れ、前記コネクタを接続し忘れたときと、前記用紙検出手段による用紙の存在を検出したときとで同等の状態となるよう構成し
　
ク．訂正事項ｈ
　明細書の【００２２】に「上述のような請求項２に記載の発明の構成及び作用によれば、電源投入直後に前記信号線が前記用紙検出手段により前記用紙の存在を検出したと同等の状態にあると判断されたとき、異常状態が報知されるので、請求項１に記載の発明の効果に加え、前記異常状態、例えば、前記コネクタの接続忘れを上記報知により確実に認識できる。」とあるのを
「
さらに、
で、前
　
（２）訂正の適否
　特許請求の範囲についての訂正事項ａは、請求項１に係る発明を削除し請求項２に係る発明を繰り上げるとともに、信号線が用紙の存在を検出したときの状態と同等の状態となる場合を「コネクタを接続し忘れたとき」と限定するものであって、請求項の削除及び特許請求の範囲の減縮を目的とするものであって、実質的に特許請求の範囲を拡張し、又は変更するものではない。
　また、訂正事項ａは、特許明細書の【０００６】、【００２０】及び【００２２】に記載されていたことである。
　
　特許明細書の残余の箇所を、訂正事項ａに準じて訂正しようとする訂正事項ｂないしｅ、ｇ及びｈも、訂正事項ａと同様である。
　
　訂正事項ｆは、誤記の訂正を目的とするものであり、実質的に特許請求の範囲を拡張し、又は変更するものではない。
　
（３）訂正請求についてのむすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書き及び第２項の規定に適合するので、当該訂正を認める。
　
２．異議申立てについて
（１）本件発明
　上記のとおり、訂正は認められるから、本件特許の請求項１に係る発明は、訂正された特許請求の範囲に記載された次のとおりのものである。
「レーザビームを感光体ドラムにて受光しつつ用紙上に印刷データを画像として形成する画像形成装置と、
ヒータにより加熱されるヒートローラにより前記画像形成装置から搬送される前記用紙上に前記画像を定着させる定着装置と、
前記画像形成装置及び定着装置を通って前記用紙を搬送する搬送装置と、
前記定着装置内での前記用紙の存否を検出する用紙検出手段と、
前記ヒートローラの表面温度を検出する温度検出手段と、
前記用紙検出手段及び（又は）前記温度検出手段の各検出出力を利用して前記ヒータによる加熱並びに前記搬送装置の用紙搬送を制御する制御装置とを具備して、
この制御装置と前記用紙検出手段及び温度検出手段とを単一のコネクタにより接続し、
かつ、前記制御装置が、前記コネクタを介し前記用紙検出手段と接続され
、前記コネクタを接続し忘れたときと、前記用紙検出手段による用紙の存在を検出したときとで同等の状態となるよう構成し
有し、前
る印
　
（２）申立て理由の概要
　特許異議申立人市東　勇は、証拠として甲第１号証（特開平４−３１５１８７号公報）及び甲第２号証（特公平４−６６３５２号公報）を提示し、上記訂正前の特許明細書の請求項１及び２に係る発明は甲第１〜２号証に記載された発明に基づいて、その発明の属する技術の分野における通常の知識を有する者が容易に発明をすることができたものであり、特許法第２９条第２項の規定により特許を受けることができないものであるから、本件特許は、取り消すべきである旨主張している。
　
（３）取消理由で引用された刊行物に記載された発明
刊行物１：　特開平４−３１５１８７号公報（甲第１号証）
　刊行物１の【０００１】、【０００２】、【０００８】ないし【００１０】、【００１３】、【００１４】及び【００１６】の記載によれば、刊行物１には
「装置本体に着脱可能に取り付けられた定着ユニットを有する画像形成装置において、
　前記定着ユニットには、
　赤外線ヒータを有する定着ローラと、
　加圧ローラと、
　赤外線ヒータの温度を検出するサーミスタと、
　定着ユニットに備えられ、所定位置に達した転写紙を検出するセンサであり、該所定位置を正規のタイミングで転写紙が通過するかどうか、すなわちジャムが発生していないかを検出する定着検知センサと、
　駆動モータから定着ローラへの動力伝達経路が接続されたかを検出するスイッチと、
　定着ユニットの後部に固定され赤外線ヒータ、サーミスタ、定着検知センサ及びスイッチを装置本体側に接続するドロアコネクタの雄側のコネクタ部材を有し、
　装置本体には、
　駆動モータと、
　画像形成装置本体のフレームに固定され、定着ユニットの挿入にともない電気的導通路を形成するドロアコネクタの雌側のコネクタ部材と、
　サーミスタ、定着検知センサ及びスイッチの信号線の状態に基づき、赤外線ヒータの点灯制御及び駆動モータへの駆動制御を行うＣＰＵとを有するものであって、
　更にドロアコネクタは、赤外線ヒータ又はサーミスタがＣＰＵと電気的に接続されてからスイッチがＣＰＵに接続するよう構成され、
　ＣＰＵは、ドロアコネクタが接続されかつ前記動力伝達経路が接続されたときにＯＮ状態となり、そうでなければＯＦＦ状態となるよう構成された信号線を検出し、ＯＦＦ状態であればガイダンス表示を行う画像形成装置。」
という発明が開示されている。
　
刊行物２：　特公平４−６６３５２号公報（甲第２号証）
　刊行物２の特許請求の範囲、３ページ５段１９行目ないし４ページ７段２９行目の記載によれば、刊行物２には
「感光体が装着された回転ドラムに光像を照射し、その後現像することによりトナー像を形成する手段（以下「画像形成手段」という。）と、
　ヒータランプにより熱定着を行うトナー定着部と、
　転写紙を前記画像形成手段からトナー定着部へ搬送する搬送経路と、
　前記画像形成手段、トナー定着部及び搬送経路を制御する制御手段を有するとともに、
　前記搬送経路中に配置され転写紙の有無を検知する検知手段を具備し、
　前記制御手段は電源投入時に前記検知手段による転写紙の検知状態を確認してジャム状態にあるか否かを判別し、ジャムと判別されたときにジャム警告動作を実行する電子写真複写機。」
という発明が開示されている。
　
刊行物３：　特開平６−１２２２５７号公報
　刊行物３の【請求項１】、【０００１】、【０００５】、【００２１】ないし【００２６】、【００３０】ないし【００３５】及び【図２】の記載によれば、刊行物３には
「レーザ光で感光ドラムを走査し、画像のイメージデータに基づくトナー像を用紙上に転写する画像形成手段と、 
 　用紙に転写されたトナー像を、定着ローラを含む２つのローラにより加熱・加圧することで定着させる熱定着手段と、 
 　用紙カセットに積載された用紙を前記トナー像形成手段及び定着器を介して排紙する、給紙ローラ、レジストローラを含む手段（以下「用紙給送手段」という。）と、 
 　定着器から排紙された紙の有無を検知する排紙センサと、 
 　電源立ち上がり直後、リセット解除後の前記感光体の初期回転を行う前に、排紙センサが紙有りを検知した場合に、前記画像形成手段の画像形成プロセスステータスをジャム状態に設定するとともに、検知しなかった場合に印字制御を行うプロセス制御手段とを有し、 
 　電源立ち上がり直後、リセット解除後の前記感光体の初期回転前に、定着器への用紙の巻き付きジャムを予測検知する画像形成装置。」 
という発明が開示されている。
　
（４）対比・判断
　本件発明と刊行物１に記載された発明とを対比する。
　
　刊行物１に記載された発明における「ドロアコネクタ」は、定着ユニットの挿入にともない電気的導通路を形成するものであって、制御装置と用紙検出手段と温度検出手段とを単一のコネクタで接続する手段であるから、本件発明における「コネクタ」と同様の機能を有する。
　刊行物１に記載された発明における「定着検知センサ」は、定着装置内での前記用紙の存否を検出する用紙検出手段であって、温度検出手段と単一のコネクタにより制御装置に接続されるものであるから、本件発明における「用紙検出手段」と同様の機能を有する。
　刊行物１に記載された発明における「スイッチ」は、ドロアコネクタが接続されていないか又は動力伝達経路が接続されていないときにＯＦＦ状態となるものであって、温度検出手段と同一のコネクタにより制御装置に接続され、前記コネクタが検出手段により異常状態を検出したときとで同等の状態となるよう構成された信号線に接続された検出手段であるから、本件発明における「用紙検出手段」と同等の機能を有する。
　
　したがって、両者は
「ヒータにより加熱されるヒートローラにより搬送される用紙上に前記画像を定着させる定着装置と、
　前記定着装置を通って前記用紙を搬送する搬送装置と、
　前記定着装置内での前記用紙の存否を検出する用紙検出手段と、
　前記ヒートローラの表面温度を検出する温度検出手段と、
　前記用紙検出手段及び（又は）前記温度検出手段の各検出出力を利用して前記ヒータによる加熱を制御する制御装置とを具備して、
　この制御装置と前記用紙検出手段及び温度検出手段とを単一のコネクタにより接続し、
　かつ、前記制御装置が、前記コネクタを介して何らかの検出手段に接続され、前記コネクタが接続されていないときと、前記何らかの検出手段によって異常状態を検出したときとで同等の状態となるよう構成した信号線の状態を判断する判断手段を有し、
　前記判断手段が、前記信号線が前記何らかの検出手段によって異常状態を検出したと同等の状態にあると判断したとき、異常状態として報知する報知手段を具備するようにしたことを特徴とする印刷装置。」
である点で一致し、先ず次の点で両者は相違する。
　
相違点：　本件発明における「コネクタを介し用紙検出手段と接続され、前記コネクタを接続し忘れたときと、前記用紙検出手段による用紙の存在を検出したときとで同等の状態となるよう構成した信号線」が刊行物１には開示されていない点。
　
　すなわち、刊行物１に記載された発明における「ドロアコネクタ」は、画像形成装置本体及び定着ユニットに固定され、定着ユニットの挿入に伴い自動的に接続されるものであって、原理的にコネクタのみの接続忘れを生じない様構成されたものであるから、刊行物１に記載された発明においてドロアコネクタの接続状態を検出する手段が存在していても、本件発明における「コネクタを接続し忘れたとき」を検出するものではない。
　また、刊行物１に記載された発明においては、ドロアコネクタの接続状態を検出する信号線は「動力伝達経路が接続されたかを検出するスイッチ」に関する信号線であって、本件発明における「用紙検出手段」に関するものではない。
　したがって、本件発明における「コネクタを接続し忘れたときと、前記用紙検出手段による用紙の存在を検出したときとで同等の状態となるよう構成した信号線」は、刊行物１に係る発明には示されていない。
　
　この相違点について検討するに、刊行物２及び３並びに取消理由通知において周知例として提示した特開平１−１７９０６２号公報及び特開平５−３０７３２５号公報のいずれにも「コネクタを接続し忘れたときと、用紙検出手段による用紙の存在を検出したときとで同等の状態となるよう構成した信号線」については記載されておらず、また、刊行物１及び上述したこれらの刊行物の記載から「コネクタを接続し忘れたときと、用紙検出手段による用紙の存在を検出したときとで同等の状態となるよう構成した信号線」が容易に想到し得るものとも言えない。
　
　したがって、本件発明と刊行物１に記載された発明とのほかの相違点についての検討、判断を示すまでもなく、本件発明は、上述した各刊行物に記載された発明に基づいて当業者が容易に発明をすることができたものとすることはできない。
　
（５）むすび
　以上のとおりであるから、特許異議申立ての理由及び証拠によっては、本件発明を取り消すことはできない。
　また、ほかに本件発明についての特許を取り消すべき理由を発見しない。
　よって、結論のとおり決定する。
【異議決定日】
平成１７年７月５日（２００５．７．５）
【訂正の要旨】
審決（決定）の【理由】欄参照。
（５４）【発明の名称】
印刷装置
（５７）【特許請求の範囲】
　【請求項１】レーザビームを感光体ドラムにて受光しつつ用紙上に印刷データを画像として形成する画像形成装置と、
ヒータにより加熱されるヒートローラにより前記画像形成装置から搬送される前記用紙上に前記画像を定着させる定着装置と、
前記画像形成装置及び定着装置を通って前記用紙を搬送する搬送装置と、
前記定着装置内での前記用紙の存否を検出する用紙検出手段と、
前記ヒートローラの表面温度を検出する温度検出手段と、
前記用紙検出手段及び（又は）前記温度検出手段の各検出出力を利用して前記ヒータによる加熱並びに前記搬送装置の用紙搬送を制御する制御装置とを具備して、
この制御装置と前記用紙検出手段及び温度検出手段とを単一のコネクタにより接続し、
かつ、前記制御装置が、前記コネクタを介し前記用紙検出手段と接続され
、前記コネクタを接続し忘れたときと、前記用紙検出手段による用紙の存在を検出したときとで同等の状態となるよう構成し
有し、前
る印
【発明の詳細な説明】
　【０００１】
　【産業上の利用分野】本発明は、レーザプリンタ等の印刷装置に関するものである。
　【０００２】
　【従来の技術】従来のレーザプリンタにおいては、その定着装置の表面温度を制御するための温度センサたるサーミスタが、コネクタを介して本体基板に接続されているのが通常である。
　【０００３】
　【発明が解決しようとする課題】しかしながら、このようなレーザプリンタでは、その組み立て時に上述のコネクタの接続を忘れることがある。かかる場合には、温度センサによってヒートローラの表面温度を検出することができないため、同ヒートローラの表面温度が常に低温と判断されることとなる。その結果、ヒートローラの加熱が誤って継続されて定着装置を熱破壊するおそれがあった。これに対しては、従来、ヒータに通電し始めてから所定時間以内に温度センサ（サーミスタ）に抵抗変化があるか否か検出して、コネクタの接続忘れを判断する方法が用いられている。また、特開昭６２−４２１７７号公報にて示されているように、温度センサに接続するコネクタを３端子にし、その１端子の電位を検出することによりコネクタの接続忘れを判断し、ヒータを電源から遮断するようにすることも考えられる。しかし、前者の場合、ヒータが所定温度に上昇するまで判断できず、検出に時間がかかる。また、後者の場合、コネクタに検出用の端子や信号線を余分に設けなければならず、高価になるという不具合がある。そこで、本発明は、このようなことに対処すべく、レーザプリンタ等の印刷装置において、その温度センサの接続に使用されるコネクタの接続忘れを、電源投入後直ちに適確に認識でき、また特別な信号線を追加することなく安価に構成できるようにしようとするものである。
　【０００４】
　【課題を解決するための手段】上記課題の解決にあたり、請求項１に記載の発明は、レーザビームを感光体ドラムにて受光しつつ用紙上に印刷データを画像として形成する画像形成装置と、ヒータにより加熱されるヒートローラにより前記画像形成装置から搬送される前記用紙上に前記画像を定着させる定着装置と、前記画像形成装置及び定着装置を通って前記用紙を搬送する搬送装置と、前記定着装置内での前記用紙の存否を検出する用紙検出手段と、前記ヒートローラの表面温度を検出する温度検出手段と、前記用紙検出手段及び（又は）前記温度検出手段の各検出出力を利用して前記ヒータによる加熱並びに前記搬送装置の用紙搬送を制御する制御装置とを具備して、この制御装置と前記用紙検出手段及び温度検出手段とを単一のコネクタにより接続し、かつ、前記制御装置が、前記コネクタを介し前記用紙検出手段と接続され
、前記コネクタを接続し忘れたときと、前記用紙検出手段による用紙の存在を検出したときとで同等の状態となるよう構成し
　【０００５】
そして更に、前
　【０００６】
　【作用】上述のように請求項１に記載の発明は、定着装置内の用紙の存否を検出する用紙検出手段及びその定着装置の温度を検出する温度検出手段を単一のコネクタにより制御手段に接続してあり、そのコネクタを介し前記用紙検出手段と接続
され、前記コネクタを接続し忘れたときと、前記用紙検出手段による用紙の存在を検出したときとで同等の状態となるよう構成し
　【０００７】ま
た、電
　【０００８】
　【実施例】以下、本発明の一実施例を図面により説明すると、図２及び図３は、本発明に係るレーザプリンタの概略全体構成を示している。このレーザプリンタは、図２にて示すごとく、機体１０内下部に給紙装置２０を備えており、この給紙装置２０は、その給紙ローラ２１により、その搬送方向下流側に位置するガイド２３に沿わせて用紙２２を案内しレジストローラ対４０に向けて送り出す。レジストローラ対４０は、給紙装置２０からの用紙２２の先端を同ローラ対につき当てた後、所定時間経過したとき回転し始める。このため、用紙２２は、レジストローラ対４０の回転に伴い同レジストローラ対４０に挟まれながら、搬送方向下流側に位置するガイド４１を通り、転写前ローラ５０により案内されて、画像形成装置６０に向け送り出される。
　【０００９】画像形成装置６０は、感光体ドラム６０ａと、この感光体ドラム６０ａ上に静電潜像を形成するために露光を行うスキャナユニット６０ｂと、露光により形成された静電潜像にトナーを付着させてトナー像を形成する現像ユニット６０ｃと、そのトナー像を用紙２２に転写する転写帯電器６０ｄと、転写後に用紙２２を感光体ドラム６０ａから剥離するために用紙２２の除電を行う除電器６０ｅとにより構成されている。スキャナユニット６０ｂは、そのスキャナモータ６１（図３参照）の回転に伴い図示しないポリゴンミラーを回転させ、この回転に伴い図示しない発光源からのレーザビームを一方向に走査しながら、ミラー６２の反射作用のもとに感光体ドラム６０ａ上に入射させる。このように構成した画像形成装置６０に搬送された用紙２２は、感光体ドラム６０ａ上に形成されたトナー像が転写された状態で、感光体ドラム６０ａの搬送方向下流側に位置するガイド６１により案内されて定着装置７０に向け送り出される。
　【００１０】定着装置７０は、用紙センサ３０（図１〜図３）と、ヒートローラ７０ａと、このヒートローラ７０ａに圧接する圧接ローラ７０ｂと、搬送ローラ対７０ｃと、温度センサ７０ｄ（図１参照）とにより構成されている。用紙検出手段即ち用紙センサ３０は、定着装置７０内において、ヒートローラ７０ａ及び圧接ローラ７０ｂの下流位置で用紙２２の存否を検出する。用紙センサ３０はホトカプラからなるもので、この用紙センサ３０は、図１及び図４にて示すごとく、コ字状のセンサ本体３１の各二股部３１ａ、３１ｂ内に発光ダイオード３２及びホトトランジスタ３３をそれぞれ設けて構成されている。しかして、発光ダイオード３２がホトトランジスタ３３に向けて発光している状態において、用紙２２が定着装置７０内にないとき、遮光部材レバー３４が各二股部３１ａ、３１ｂ間に位置して発光ダイオード３２からホトトランジスタ３３への光の入射を遮断する。然る後、用紙２２が定着装置７０内にあると、同用紙が同レバーの検出端３４ｂを押動することによって、遮光レバー３４が回動して各二股部３１ａ、３１ｂ間から移動し発光ダイオード３２からホトトランジスタ３３への光の入射を許容する。これにより、用紙２２の定着装置７０内での存否が検出される。かかる場合、用紙センサ３０は、定着装置７０内の基板Ｂ上に配設されている。また、遮光レバー３４は、適所に軸支した回動軸３４ａを基準に回動するようになっている。
　【００１１】しかして、定着装置７０は、ガイド６１からの用紙２２をヒートローラ７０ａに対し圧接ローラ７０ｂにより圧接しながらトナー像を熱定着した後、搬送ローラ対７０ｃにより排紙ガイド８０に向けて送り出す。この排紙ガイド８０は、搬送ローラ対７０ｃからの用紙２２を排紙ローラ対８１に案内する。かかる場合、ヒートローラ７０ａは、その内部に設けたヒータ７１（図３及び図４参照）により加熱される。排紙ローラ対８１は、案内された用紙２２を機体１０の上部に設けた排紙トレイ８２上に送り出す。温度検出手段即ち温度センサ７０ｄ（図１参照）は、負の抵抗温度特性を有するサーミスタからなるもので、この温度センサ７０ｄは、ヒートローラ７０ａに近接して配置され、その表面の温度を検出する。
　【００１２】次に、レーザプリンタの電気回路構成を図１、図３及び図４を参照して説明する。制御装置９０は、ＣＰＵ、ＲＯＭ、ＲＡＭ及びバスライン等からなるマイクロコンピュータ（以下、マイクロコンピュータ９０という）により構成したもので、このマイクロコンピュータ９０は、信号線９０ｅによりＡ−Ｄ変換器９０ａ及びコネクタ９０ｂを介して温度センサ７０ｄに接続されるとともに、信号線９０ｆによりコネクタ９０ｂを介して用紙センサ３０に接続されている。Ａ−Ｄ変換器９０ａは、温度センサ７０ｄからの温度検出出力をコネクタ９０ｂを介して受けてディジタル変換しディジタル温度検出出力としてマイクロコンピュータ９０に出力する。また、用紙センサ３０は、その検出出力をコネクタ９０ｂを介しマイクロコンピュータ９０に出力する。温度センサ７０ｄの一端に接続された信号線９０ｅはプルアップ抵抗９１を介して後述する低電圧電源ユニット１００からの電源線１００ａに接続されている。温度センサ７０ｄの他端は接地されている。
　【００１３】用紙センサ３０の発光ダイオード３２の一端及びホトトランジスタ３３のコレクタはそれぞれ抵抗９５、９６を介して低電圧電源ユニット１００からの信号線１００ａに接続されている。発光ダイオード３２の他端及びホトトランジスタ３３のエミッタはそれぞれ接地されている。ホトトランジスタ３３のコレクタに接続された信号線９０ｆはプルダウン抵抗９２を介して接地されている。コネクタ９０ｂは互いに着脱自在に接続される一対のコネクタ部材９３、９４により構成され、一方のコネクタ部材９４は基板Ｂ上に固着されている。両コネクタ部材９３、９４が接続された状態で温度センサ７０ｄは上記のように信号線９０ｅ、電源線１００ａ及び接地端子にそれぞれ接続され、また、用紙センサ３０は上記のように電源線１００ａ、信号線９０ｆ及び接地端子にそれぞれ接続される。温度センサ７０ｄは、基板Ｂ上に固着されたコネクタ９０ｃにより一旦基板Ｂへ接続されて、コネクタ９０ｂに接続されている（図４参照）。マイクロコンピュータ９０は、Ａ−Ｄ変換器９０ａ等と共に機体１０内の機体基板に配設されている。
　【００１４】また、マイクロコンピュータ９０は、低電圧電源ユニット１００、スキャナモータ６１、高圧電源ユニット１１０、モータドライバ１２０、電磁クラッチ１３０、ＡＣドライバ回路１４０、ビデオコントローラ回路基板１５０及び報知器１８０に接続されている。しかして、このマイクロコンピュータ９０は、低電圧電源ユニット１００からの低電圧を受けて、図５にて示すフローチャートに従いコンピュータプログラムの実行を行い、この実行中において、用紙センサ３０、Ａ−Ｄ変換器９０ａ及びビデオコントローラ回路基板１５０からの出力を受け、スキャナモータ６１、高圧電源ユニット１１０、モータドライバ１２０、電磁クラッチ１３０、ＡＣドライバ回路１４０、ビデオコントローラ回路基板１５０及び報知器１８０を制御するに要する演算処理を行う。但し、上述のコンピュータプログラムは、マイクロコンピュータ９０のＲＯＭに予め記憶されている。
　【００１５】低電圧電源ユニット１００は、コンセント１００ａをＡＣ電源（例えば１００Ｖ）に接続したとき、同コンセント１００ａからの交流電圧を受けて低電圧を出力する。高圧電源ユニット１１０は、マイクロコンピュータ９０による制御を受けて、現像ユニット６０ｃ、転写帯電器６０ｄ、除電器６０ｅに高電圧を出力する。モータドライバ１２０は、低電圧電源ユニット１００からの低電圧及びマイクロコンピュータ９０による制御を受けて、メインモータ１６０を駆動する。このメインモータ１６０は、図示しない各減速機構を介して、給紙ローラ２１及び用紙搬送装置即ちレジストローラ対４０、感光体ドラム６０ａ及び排紙ローラ対８１及びヒートローラ７０ａ等用紙搬送に係るローラ等を駆動する。電磁クラッチ１３０は、マイクロコンピュータ９０による制御を受けて選択的に係合し、メインモータ１６０からの出力トルクをレジストローラ対４０に伝達する。かかる場合、電磁クラッチ１３０は、レジストローラ対４０に同軸的に連結されている。ＡＣドライバ回路１４０は、低電圧電源ユニット１００からの低電圧及びマイクロコンピュータ９０による制御を受けて、ヒータ７１を駆動する。ビデオコントローラ回路基板１５０は、外部機器１７０からの文字データや制御データ等から印刷データを作成し、印刷開始命令と共にマイクロコンピュータ９０に出力し、同マイクロコンピュータ９０からの制御出力を外部機器１７０に出力する。報知器１８０は、マイクロコンピュータ９０からの報知データに基づいて報知動作をする。
　【００１６】以上のように構成した本実施例において、低電圧電源ユニット１００が、電源スイッチ１００ｂを閉じた状態にてコンセント１００ａからの交流電圧に基づき低電圧を発生すると、マイクロコンピュータ９０が、同低電圧に応じて作動状態となり、図５にて示すフローチャートに従い、コンピュータプログラムの実行を開始し、ステップ２００にて、マイクロコンピュータ９０内の判断部９０ｇが、用紙センサ３０に接続されているべき信号線９０ｆの電位を判断する。ここで、コネクタ部材９３、９４が接続されていなければ信号線９０ｆは遮断され、ローレベルの電位となっている。従って、マイクロコンピュータ９０が、ステップ２００にて即座に「ＹＥＳ」と判別し、コネクタ９０ｂの未接続を表す警告を、報知データとして、ステップ２１０にて、報知器１８０に出力する。すると、報知器１８０が、上記報知データに基づき報知動作をする。それとともにマイクロコンピュータ９０は、ステップ２１０ａにて、メインモータ１６０、画像形成装置６０、定着装置７０等の駆動停止処理をする。これにより、用紙２２の搬送動作を停止するとともに画像形成及び定着装置のヒータ７１の加熱を停止する。つまり、画像形成に係る殆どの動作を停止する。その後、電源がオフされれば、ステップ２２０における判別が「ＮＯ」となる。
　【００１７】機体１０を開放して異常を除く、例えばコネクタ部材９３、９４を接続する等の作業をすることにより、後述するように印刷処理を実行することができる。電源投入時、コネクタ部材９３、９４が接続されていても、紙ジャムが定着装置７０に残っている場合、用紙センサ３０は遮光レバー３４の移動により発光ダイオード３２の光をホトトランジスタ３３に入射させている。このため、ホトトランジスタ３３のコレクタの電位がローレベルとなり、判断部９０ｇは信号線９０ｆのローレベルを判断する。従って、上述と同様に報知動作をし、印刷動作を停止する。この場合も機体１０を開放して紙ジャムを除去すれば、正常な動作に復帰することができる。
　【００１８】一方、ステップ２００において、コネクタ部材９３、９４が接続されていて定着装置７０内に用紙が存在しないならば、用紙センサ３０は遮光レバー３４により発光ダイオード３２からホトトランジスタ３３への光を遮断しているから、コレクタの電位がハイレベルになっている。このため、判断部９０ｇは信号線９０ｆのハイレベルを検出し、ステップ２００における判別が「ＮＯ」となる。続いて、ステップ２３０における判別が行われる。現段階にて、印刷開始指令がビデオコントローラ回路基板１５０からマイクロコンピュータ９０に出力されていると、このマイクロコンピュータ９０が、ステップ２３０にて「ＹＥＳ」と判別し、印刷処理ルーチン２４０において、印刷処理に要する制御が行われる。これにより、スキャナモータ６１の定常回転及び定着装置７０のヒータ７１のヒートローラ７０ａに対する加熱のもとに、給紙装置２０からレジストローラ対４０を介し搬送される用紙２２に対する印刷処理が行われる。より詳しくは、ＡＣドライバ回路１４０によりヒータ７１が加熱され、メインモータ１６０がモータドライバ１２０により駆動され、給紙ローラ２１、感光体ドラム６０ａ、排紙ローラ対８１及びヒートローラ７０ａが駆動されるとともに、レジストローラ対４０がメインモータ１６０の駆動及び電磁クラッチ１３０の係合により駆動される。そして、このような状態にて、給紙ローラ２１の駆動に応じ、給紙装置２０からレジストローラ対４０を介し用紙２２の搬送が行われて、ビデオコントローラ回路基板１５０からの印刷データに基づき現像ユニット６０ｃ及び定着装置７０による印刷処理が行われる。
　【００１９】この動作中、用紙センサ３０と共通のコネクタ９０ｂを介して温度センサ７０ｄがマイクロコンピュータ９０と
接続されて
　【００２０】以上説明したように、本実施例においては、温度センサ７０ｄとＡ−Ｄ変換器９０ａとの間の接続手段たるコネクタ９０ｂを用紙センサ３０とマイクロコンピュータ９０との間の接続手段として兼用することによって、マイクロコンピュータ９０によりコンピュータプログラムの実行開始直後に、つまり、マイクロコンピュータ９０への電源投入直後に、コネクタ９０ｂの未接続か否かをコネクタ９０ｂに接続した信号線の状態に基づき判断することにより、温度センサ７０ｄに依存することなく、コネクタ９０ｂの未接続状態か否かを判断することができる。このため、コネクタ９０ｂの未接続の場合には、即座にタイミングよく同未接続を報知することができるので、コネクタ９０ｂの接続を即座に行える。従って、コネクタ９０ｂの未接続状態のままで、ヒートローラ７０ａの加熱が誤って継続されて定着装置を熱破壊するというような事態の発生を未然に防止できる。
　【００２１】
　【発明の効果】上述のような請求項１に記載の発明の構成及び作用によれば、電源投入直後に、前記コネクタを介し前記用紙検出手段と接続
され、前記コネクタを接続し忘れたときと、前記用紙検出手段による用紙の存在を検出したときとで同等の状態となるよう構成し
　【００２２】
さらに、
で、前
【図面の簡単な説明】
　【図１】図３の制御装置と温度センサ及び用紙センサとの間の接続構成を示す回路図である。
　【図２】本発明に係るレーザプリンタの概略断面図である。
　【図３】同レーザプリンタの電気回路構成図である。
　【図４】用紙センサの構成を周辺素子との関連で示す斜視図である。
　【図５】図３のマイクロコンピュータの作用を示すフローチャートである。
　【符号の説明】
　２２・・・用紙、３０・・・用紙センサ、４０・・・レジストローラ対、６０・・・画像形成装置、７０・・・定着装置、７０ｃ・・・搬送ローラ対、７０ｄ・・・温度センサ、７１・・・ヒータ、９０・・・制御装置（マイクロコンピュータ）、９０ｂ・・・コネクタ。